(57)【要約】【課題】  オシュレータ等から横臥した状態で連続的に供給される魚体、特にサンマを、大きさの大小に関係なくその背腹方向を全て一定方向に能率よく向けて爾後の頭部切断等の加工を連続自動的に行えるようにする。【解決手段】  上半部を上端に向かって徐々に拡径した外向き傾斜周面2bに形成している挟圧ローラ２と、上半部を上端に向かって徐々に縮径した内向き傾斜周面3bに形成している挟圧ローラ３とをスプリング10により互いに引き寄せる方向に付勢させた状態にして搬送通路１の両側を挟むようにして配設し、これらの挟圧ローラ２、３間にサンマＦを回転ブラシ11により送り込むことによってローラ２、３の挟圧力でサンマＦを起立させると共に上記外向き傾斜周面2bと内向き傾斜周面3bとで内向き傾斜周面3b側に背部を傾倒させるように構成している。【選択図】    図１
2010200653.tif 000002
【特許請求の範囲】
【請求項１】
上半部を上端に向かって拡径方向に傾斜した外向き傾斜周面に形成してなるローラと、上半部を上端に向かって縮径方向に傾斜した内向き傾斜周面に形成してなるローラとからなる左右一対の背腹方向揃え用魚体挟圧ローラを、魚体搬送通路を通過する魚体を両側から挟圧可能に配設していると共に、これらの魚体挟圧ローラ間の間隔を拡縮自在とし且つスプリング力によって互いに接近する方向に付勢してあり、さらに、上記魚体搬送通路を通じてこれらの魚体挟圧ローラ間に魚体を送り込む送り込み手段を配設していることを特徴とする魚体の背腹方向揃え装置。
【請求項２】
左右一対の魚体挟圧ローラは、その中心部を支軸によって回転自在に支持されていると共に、これらの支軸の上端部を、魚体搬送通路の両側方に基端部を往復回動自在に支持された左右のアームの先端部に吊支状態に支持させてあり、さらに、上記支軸間を引張りスプリングによって連結していることを特徴とする請求項１に記載の魚体の背腹方向揃え装置。
【請求項３】
魚体挟圧ローラ間への魚体送り込み手段は、モータによって回転駆動される回転ブラシからなり、その下周部側のブラシの先端部を魚体搬送通路内に挿入して魚体の送り込み方向に回転させるように構成していることを特徴とする請求項１に記載の魚体の背腹方向揃え装置。
【発明の詳細な説明】
【技術分野】
【０００１】
本発明は魚体、特にサンマの背腹方向を一定方向に向けた状態に揃えるための装置に関するものである。
【背景技術】
【０００２】
従来から、オシュレータ等によって頭部を搬送方向に向けられた魚体をコンベア上に搬入して頭部切断処理や開腹処理等を行うに際して、全ての魚体の背腹方向を一定方向に向けた状態に揃えてこれらの処理を可能にする必要がある。
【０００３】
このような背腹方向を揃える装置としては、例えば、特許文献１に記載されているように、両側縦壁板間の幅を搬送方向に向かうに従って徐々に狭くして魚体を横臥状態から起立状態にする第１通路と、この第１通路に連通して両側縦壁板を一側方に徐々に傾斜させることにより、起立状態の魚体をその背部が一定方向に向けた状態に傾斜させる第２通路とを備え、第１通路上に、この第１通路から第２通路に魚体を強制的に送り込む回転ブラシを配設してなる装置が開発されている。
【０００４】
魚体、特にサンマの断面形状は背部側の厚みが厚く、腹部が薄い逆三角形状を呈しているため、横臥した状態では背部と腹部との頂点間を結ぶ線が腹部から背部に向かって斜め上方に傾斜しており、従って、この状態で上記第１通路内に供給すると、この第１通路を通過する間に背腹部が両側縦壁板の対向壁面に圧接したのち徐々に挟圧されて、一方の縦壁板の下端部内面に受止されている腹部を支点としてこの腹部よりも上方位置で他方の縦壁板の内側面に受止されている背部が上方に持ち上げられて起立状態にされたのち、第２通路に進入してこの第２通路の両側縦壁板の傾斜方向に傾斜し、全ての魚体（サンマ）の背腹方向を一定方向に向けた状態にする。
【先行技術文献】
【特許文献】
【０００５】
【特許文献１】特公平２−５７８９２号公報
【発明の概要】
【発明が解決しようとする課題】
【０００６】
しかしながら、このような魚体の背腹方向揃え装置によれば、魚体の大小、即ち、背腹間の幅寸法の大小にかかわらず、上記第１、第２通路の両側縦壁板間の幅は変動することはないから、第１通路の入り口幅を最も大きい魚体を受け入れ可能な幅に設定しておく必要があるばかりでなく、小さな魚体程、第１通路の両側縦壁板の対向壁面にその背腹が当接するまでの距離が長くなり、装置全体が大型化する。その上、魚体の起立を短い距離間で行うようにするため、この第１通路の通路幅を第２通路に向かって急激に幅狭くした場合には、その両側縦壁板に圧接する背腹の摩擦抵抗が増大して回転ブラシによる送り込み力にもかかわらず、通路を通過させることが困難となる事態が発生する。
【０００７】
さらに、第１通路の両側縦壁板の対向壁面に当接する魚体の背腹部分は、その背腹間の幅寸法（魚体の高さ）が最も大きい部分のみであり、この部分を挟圧して魚体全体を起立させるには大きな挟圧力を必要として、通路の対向壁面と魚体の背腹との摩擦抵抗がさらに増大し、第１、第２通路とを摺動する魚体の摩擦抵抗と相まって背腹方向の向きを揃える処理が円滑に行えなくなるといった問題点があった。
【０００８】
本発明はこのような問題点に鑑みてなされたもので、その目的とするところは、魚体の大小に関係なく、その背腹部分を頭部から尾部に至るまで積極的に挟圧して瞬時に確実且つ能率よく全ての魚体の背腹方向を一定方向に向けることができる魚体の背腹方向揃え装置を提供するにある。
【課題を解決するための手段】
【０００９】
上記目的を達成するために本発明の魚体の背腹方向揃え装置は、請求項１に記載したように、上半部を上端に向かって拡径方向に傾斜した外向き傾斜周面に形成してなるローラと、上半部を上端に向かって縮径方向に傾斜した内向き傾斜周面に形成してなるローラとからなる左右一対の背腹方向揃え用魚体挟圧ローラを、魚体搬送通路を通過する魚体を両側から挟圧可能に配設していると共に、これらの魚体挟圧ローラ間の間隔を拡縮自在とし且つスプリング力によって互いに接近する方向に付勢してあり、さらに、上記魚体搬送通路を通じてこれらの魚体挟圧ローラ間に魚体を送り込む送り込み手段を配設した構造としている。
【００１０】
このように構成した魚体の背腹方向揃え装置において、請求項２に係る発明は、魚体搬送通路の両側方に基端部を往復回動自在に支持された左右のアームの先端に上記左右一対の魚体挟圧ローラを、それぞれ支軸によって回転自在に支持されていると共に、これらの支軸間を引張りスプリングによって連結していることを特徴とする。
【００１１】
また、請求項３に係る発明は、魚体挟圧ローラ間への魚体送り込み手段として、モータによって回転駆動される回転ブラシからなり、その下周部側のブラシの先端部を魚体搬送通路内に挿入して魚体の送り込み方向に回転させるように構成している。
【発明の効果】
【００１２】
請求項１に係る発明によれば、左右一対の魚体挟圧ローラはスプリングによって互いに接近する方向に付勢されているので、魚体の大小にかかわらず、さらには魚体の背腹間の幅寸法が長さ方向に変化しているにもかかわらず、これらの挟圧ローラ間に横臥した状態の魚体を送り込み手段によって送り込むと、その頭部から尾部に至る全長に亘ってその背腹間の幅寸法の変化に応じてローラ間の幅を拡縮させながらこれらの挟圧ローラにより連続的に挟圧させることができる。その際、まず、頭部が挟圧ローラにより挟圧されて起立を開始すると共に頭部に後続する胴体部にも頭部の起立動作が伝達されて起立を開始させることができるばかりでなく、頭部側が起立を開始すると、背部と腹部との頂点間を結ぶ線（以下、中央線とする）の水平面に対する傾斜角度が大きくなって胴体部が挟圧ローラを通過する時には比較的小さな挟圧力でもって容易に起立させることができ、しかも、背腹間の幅寸法が頭部よりも胴体部側が大きいので、胴体部を挟圧する挟圧ローラ間が拡幅してそれに伴ってこれらのローラ間を狭める方向に付勢しているスプリング力が増大し、従って、起立させようとする挟圧力が大きくなって胴体部が挟圧ローラ間を通過する際に瞬時に且つ確実に起立させることができる。
【００１３】
その上、挟圧ローラによる魚体の挟圧は、これらの挟圧ローラを魚体の進行に従って自動的にその進行方向に回転させながら行うので、魚体に対する摩擦抵抗は殆ど生じることがなく、魚体を円滑に且つ素早く通過させながら極めて短い進行距離内で確実に起立させることができる。
【００１４】
さらに、上記左右一対の挟圧ローラにおいて、一方のローラの上半部を上端に向かって拡径方向に傾斜した外向き傾斜周面に形成し、他方ローラの上半部を上端に向かって縮径方向に傾斜した内向き傾斜周面に形成しているので、上記のように魚体が起立した時に、その背部の両側面がこれらのローラの上半部間で挟圧されて一方のローラの外向き傾斜周面と他方のローラの内向き傾斜周面とにより魚体の上記中央線がこれらの傾斜面の傾斜方向に傾けられた状態となり、この状態で挟圧ローラ間を瞬時に通過して挟圧ローラ間に送り込まれる全ての魚体をその傾斜方向に背部を向けた状態で順次、確実且つ能率よくその方向に横たわらせることができる。
【００１５】
また、請求項２に係る発明によれば、上記左右一対の魚体挟圧ローラは、魚体搬送通路の両側方に基端部を往復回動自在に支持された左右のアームの先端にそれぞれ支軸によって回転自在に支持されていると共にこれらの支軸間を引張りスプリングによって連結しているので、簡単な構造によって左右一対の魚体挟圧ローラを魚体搬送通路上の所定位置に正確に配設することができると共に、これらの挟圧ローラ間を通過する魚体の両側面に頭部から尾部に至るまで均一な挟圧力を作用させて正確且つ迅速に背腹方向の揃え処理を行うことができる。
【００１６】
請求項３に係る発明によれば、上記魚体挟圧ローラ間への魚体送り込み手段は、モータによって回転駆動される回転ブラシからなり、その下周部側のブラシの先端部を魚体搬送通路内に挿入して魚体の送り込み方向に回転させるように構成しているので、上記魚体搬送通路内から上記左右一対の挟圧ローラ間に魚体を順次、次々と連続的に且つ高速度でもって回転ブラシの回転力によって送り込むことができると共に瞬時に挟圧ローラ間を通過させて背腹の向きを一定方向に向けた状態にすることができ、１５０匹／分以上の高速処理が可能となって魚体の自動処理ライン化を図ることができる。
【図面の簡単な説明】
【００１７】
【図１】本発明装置の簡略斜視図。
【図２】その側面図。
【図３】その平面図。
【図４】一対の挟圧ローラ部分の正面図。
【図５】その縦断正面図。
【図６】（イ）はサンマの側面図、（ロ）及び（ハ）は頭部と胴体部との断面図。
【図７】（イ）〜（ニ）は背部側を一方の挟圧ローラ側に向けたサンマの背腹方向の揃え処理状態を示す一部を縦断した正面図。
【図８】（イ）〜（ニ）は背部側を他方の挟圧ローラ側に向けたサンマの背腹方向の揃え処理状態を示す一部を縦断した正面図。
【発明を実施するための形態】
【００１８】
次に、本発明の具体的な実施例を図面について説明すると、図１〜図３において、１は横臥状態のサンマＦが通過可能な幅を有する搬送通路で、サンマＦの背腹間の幅（サンマの高さ）よりも幅広い水平底面板1aの両側端に一定高さの側壁板1b、1bを一体に立設して断面Ｕ字状の真っ直ぐな樋形状に形成してなり、この搬送通路１の長さ方向の中間部の両側壁板1b、1bを切除してこの両側切除部1c、1cから上流側を導入通路1Aに、下流側を導出通路1Bに形成していると共に両側切除部1c、1cを通じてこの搬送通路１を通過するサンマＦを両側から挟圧する左右一対の背腹方向揃え用のサンマ挟圧ローラ２、３を配設している。
【００１９】
これらの一対の挟圧ローラ２、３は、図４、図５に示すように、その円形外周面における下半部を垂直な周面2a、3aに形成していると共に、一方の挟圧ローラ２の上半部を、その垂直周面2aの上端からこの挟圧ローラ２の上端に向かって拡径方向に傾斜した外向き傾斜周面2bに形成し、他方の挟圧ローラ３の上半部を、その垂直周面2bの上端からこの挟圧ローラ３の上端に向かって縮径方向に傾斜した内向き傾斜周面3bに形成してこれらの内外傾斜周面2b、3bを互いに並行に対向させてあり、さらに、これらの挟圧ローラ２、３の高さ（長さ）は、これらの挟圧ローラ２、３によってサンマＦを挟圧して起立させた際に、サンマＦの胴体における腹部f1が下半部側に背部f2が上半部側に位置する高さに形成している。
【００２０】
上記一対の挟圧ローラ２、３は、その回転中心を垂直な支軸４、５によって回転自在に支持されていると共に挟圧ローラ２、３の上端から上方に突出したこれらの支軸４、５の上端部を左右一対のアーム６、７の先端部によって吊支状態に連結、支持されている。さらに、これらの左右一対のアーム６、７の基端部は、上記搬送通路１の導入通路1A側における両側方にこの導入通路1Aからそれぞれ一定の間隔を存して軸受８、９に水平方向に往復回動自在に枢着されてあり、これらのアーム６、７の先端に支持された上記左右一対の挟圧ローラ２、３を搬送通路１における両側壁板1b、1bの上記切除部1c、1cから搬送通路上に臨ませてこの搬送通路１の幅方向の中央部でその対向周面間の間隔を拡縮自在に配設していると共に、挟圧ローラ２、３の上記支軸４、５の上端にコイルスプリングからなる引張りスプリング10の両端をそれぞれ連結してこのスプリング10の引張力によって挟圧ローラ２、３間の上記間隔を常時狭める方向に、即ち、挟圧ローラ２、３を互いに接近する方向に付勢している。
【００２１】
上記搬送通路１における導入通路1Aの上方には、円板11a の外周面に一定長さの多数のブラシ11b を放射状に突設してなる回転ブラシ11が配設されていてその下周部側のブラシ11b の先端部を導入通路1A内に挿入し、その先端を導入通路1Aの底面に近接させている。この回転ブラシ11の上記円板11a の中心に搬送通路１の長さ方向に直交する回転軸12を貫通させてこの回転軸12に円板11a を一体に固着していると共に、回転軸12の基端を導入通路1Aの一側方に設置した駆動モータ13に連結し、先端を導入通路1Aの他側方に固定した軸受体17に回転自在に支持させている。そして、駆動モータ13によって回転ブラシ11の導入通路1A内に挿入している下周部側を一対の挟圧ローラ２、３側に向かって回転させて、導入通路1Aに供給されるサンマＦを一対の挟圧ローラ２、３間に送り込むように構成している。
【００２２】
一対の挟圧ローラ２、３の下流側における上記導出通路1Bの入り口側の上方には、挟圧ローラ２、３に接近させて截頭円錐形状の補助ガイドローラ14を上記回転ブラシ11と同一方向に回転自在に軸支18している。この補助ガイドローラ14は、上半部を外向き傾斜周面2bに形成している一方の挟圧ローラ２と対向した外周面の一端を大径として、上半部を内向き傾斜周面3bに形成している他方の挟圧ローラ３と対向した外周面に向かって徐々に小径となる傾斜外周面に形成してあり、背部f2を他方の挟圧ローラ３の内向き傾斜周面3b側の向けて傾斜した状態で挟圧ローラ２、３間を通過するサンマＦの背部f2をその傾斜外周面で傾斜方向に積極的に倒すように構成している。
【００２３】
このように構成した魚体（サンマＦ）背腹方向揃え装置は、例えば、多数のサンマＦの頭部を全て先頭側となるように整列させるオシュレータ（図示せず）からのサンマ送り出し傾斜通路15の下傾端側にその搬送通路１の導入通路1Aの入口を連通させた状態にすると共に搬送通路１の導出通路1Bの出口をこの出口に対して直角方向に運行する頭部切断処理用等のコンベア16の一側縁上方に臨ませた状態に設置される。
【００２４】
オシュレータ側から傾斜通路15を通じて頭部を先頭側（搬送側）に向けた横臥状態で搬送通路１の導入通路1A内に供給されるサンマＦは、その背腹の向きが一側方又は他側方に向けた状態となっている。また、魚体、特にサンマＦは、図６に示すようにその頭部f3においても胴体部分においても背部f2側の厚みが厚く、腹部f1側の厚みが薄い逆三角形状の断面形状を有しており、従って、横臥状態においては背部f2と腹部との頂点間を結ぶ中央線Ｙ（図５に示す）が腹部f1から背部f2に向かって斜め上方に傾斜している。
【００２５】
このように、背腹方向の向きが不定な横臥状態のサンマＦを搬送通路１の導入通路1A内に供給されると、左右一対の挟圧ローラ２、３の後方近傍位置における導入通路1Aの上方に配設した回転ブラシ11の回転力によってサンマＦが上記挟圧ローラ２、３間に送り込まれる。回転ブラシ11は駆動モータ13によって高速回転しており、搬送通路１の導入通路1Aに供給されるサンマＦを次々と素早く挟圧ローラ２、３間に送り込むと共にその回転力によって挟圧ローラ２、３間を通過させる。
【００２６】
この際、上半部が外向き傾斜周面2bに形成されている一方の挟圧ローラ２側に背部f2を向けた状態で頭部側からこれらの挟圧ローラ２、３間にサンマＦが送り込まれると、まずその頭部f3が挟圧ローラ２、３間を通過する時に、図７（イ）に示すように、その頭部f3の進入によって挟圧ローラ２、３が引張りスプリング10の張力に抗して押し広げられながら該頭部f3を引張りスプリング10の弾性力によってその下半部の垂直周面2a、3aで挟圧する。そして、この挟圧力によって一方の挟圧ローラ２の下半部の垂直周面2aに圧接している頭部f3の頂部側が他方の挟圧ローラ３の下半部の垂直周面3aに圧接している薄肉の顎側を支点として該垂直周面2aに沿って図７（ロ）に示すように起立を開始する。
【００２７】
即ち、頭部の中央線Ｙが他方の挟圧ローラ３側から一方の挟圧ローラ２に向かって斜め上方に傾斜しているので、他方の挟圧ローラ３の垂直周面3aの下端によって顎を搬送通路１の底面に押し付けるようにして該底面上を一方の挟圧ローラ２側に引き寄せるように移動させると共に、一方の挟圧ローラ２の垂直周面2aの高さ方向の中間部によって頭部の頂部を持ち上げながら該頭部を他方の挟圧ローラ３側に引き寄せるように移動させる。
【００２８】
この頭部の持ち上げ力である起立力が頭部f3から連なる胴部側にも伝達され、胴体部が挟圧ローラ２、３間を通過する時に、図７（ハ）に示すように、上記頭部f3の起立角度からさらに垂直方向に起立させられる。即ち、引張りスプリング10の力によって互いに搬送通路１の幅方向の中央部に向かって引き寄せられる方向に移動するこれらの一対の挟圧ローラ２、３によって、背部f2と腹部f1とがそれぞれ挟圧されながらその中央線Ｙの傾斜角度をさらに大きくする。詳しくは、腹部f1を受止する他方の挟圧ローラ３が一方の挟圧ローラ２に向かって移動しながら腹部f1を搬送通路１の底面に沿って一方の挟圧ローラ２側に押し進め、頭部f3を受止する一方の挟圧ローラ２が他方の挟圧ローラ２側に向かって移動しながらこの他方の挟圧ローラ２の下端部に受止されている腹部f1を支点として背部f2をこの挟圧ローラ２の垂直周面2aの上端から上半部の外向き傾斜周面2bに摺動させながら持ち上げる。
【００２９】
引張りスプリング10による引き寄せ力によってこれらの挟圧ローラ２、３間の間隔が狭まってサンマＦが垂直に起立した状態からさらに挟圧されると、図７（ニ）に示すように、胴体部における挟圧ローラ２側の一側面の上半部がこの挟圧ローラの外向き傾斜周面2bに圧接して該外向き傾斜周面2bからの押圧力により、垂直に起立した状態から背部f2が他方の挟圧ローラ３側に向かって押し進められ、胴体部におけるこの他方の挟圧ローラ３側に面した他側面が該他方の挟圧ローラ３の内向き傾斜周面3bに受止されて中央線Ｙが腹部f1の下端から背部f2の頂部に向かって他方の挟圧ローラ３側に傾斜した状態となり、この状態でサンマＦを尾部まで挟圧しながら挟圧ローラ２、３間を通過させる。
【００３０】
なお、挟圧ローラ２、３によるサンマＦの挟圧は、これらの挟圧ローラ２、３の外周面に対するサンマＦの通過時の摺接力によって挟圧ローラ２、３を回転させながら行われ、従って、サンマＦと挟圧ローラ２、３との間に殆ど摩擦抵抗力が生じることなく、サンマＦを起立させながら円滑に通過させることができる。また、回転ブラシ11の回転力によりサンマＦが挟圧ローラ２、３間を瞬時に通過して他方の挟圧ローラ３の内向き傾斜周面3b側に傾けた状態となるように起立処理され、送り込まれるサンマＦを次々と素早く処理することができる。
【００３１】
背部f2を他方の挟圧ローラ３の内向き傾斜周面3bに受止させた状態でこれらの一対の挟圧ローラ２、３間から送りだされたサンマＦは、挟圧ローラ２、３の出口側の導出通路1Bの上方に配設された補助ガイドローラ14の下周面にその背部f2の一側面側を摺接させながら通過する。補助ガイドローラ14は外向き傾斜周面2bを有する一方の挟圧ローラ２側から内向き傾斜周面3bを有する他方の挟圧ローラ３に向かって徐々に小径となる傾斜周面に形成しているので、この傾斜周面によって他方の挟圧ローラ３の内向き傾斜周面3b側に傾斜しているサンマＦにおける一方の挟圧ローラ２に対向している背部f2の一側面を押圧して該サンマＦを強制的にその背部f2が導出通路1Bの他側壁板1b側に向くように押し倒し、腹部f1を導出通路1Bの一側壁板1a側に向けた横臥状態にして該導出通路1Bからコンベア16上に排出する。
【００３２】
一方、オシュレータ側から傾斜通路15を通じて背部f2側が上記とは反対側である上半部を内向き傾斜周面3bに形成している他方の挟圧ローラ３側に向けた状態、即ち、中央線Ｙが一方の挟圧ローラ２側から他方の挟圧ローラ３に向かって斜め上方に傾斜した状態でこれらの挟圧ローラ２、３間にサンマＦが頭部側から送り込まれると、その頭部f3側から挟圧ローラ２、３間を通過する時に図８（イ）に示すように、引張りスプリング10によって互いに引き寄せ合っているこれらの挟圧ローラ２、３の下半部により挟圧されて、挟圧ローラ２、３間の間隔がスプリング力により縮小するに従って中央線Ｙの傾斜角度が大きくなる。即ち、顎部（腹部f1）が一方の挟圧ローラ２の下半部の下端に受止された状態で搬送通路１の底面に沿って中央部側に押し進められると共に他方の挟圧ローラ３の下半部の垂直周面3aに受止された頭部f3（背部f2）が上記顎部（腹部f1）を支点として図８（ロ）（ハ）に示すように、この挟圧ローラ３の垂直周面3aから内向き傾斜周面3b側に摺接しながら持ち上げられる。
【００３３】
そして、背部f2が挟圧ローラ３の内向き傾斜周面3bに達して該内向き傾斜周面3bに接した状態になると、図８（ニ）に示すようにそれ以上起立することなく、即ち、垂直状態にまで起立することなく、背部f2が一方の挟圧ローラ２側に向けた状態から起立処理される上記図７（ニ）に示した起立姿勢と同じように、内向き傾斜周面3bと略同じ傾斜角度でもってその背部f2の両側部がこれらの挟圧ローラ２、３の外向き傾斜周面2bと内向き傾斜周面3bとで挟圧され、挟圧ローラ２、３を回転させながら挟圧ローラ２、３間を通過する。  
【００３４】
こうして、背部f2を他方の挟圧ローラ３の内向き傾斜周面3bに受止させた状態でこれらの一対の挟圧ローラ２、３間から送りだされたサンマＦは、上述したように、補助ガイドローラ14の傾斜周面によって、他方の挟圧ローラ３の内向き傾斜周面3b側に傾斜している該サンマＦの一方の挟圧ローラ２に対向している背部f2の一側面を押圧して強制的にその背部f2が導出通路1Bの他側壁板1b側に向くように押し倒し、腹部f1を導出通路1Bの一側壁板1a側に向けた横臥状態にして該導出通路1Bからコンベア16上に排出される。従って、尾オシュレータ側から順次供給されるサンマＦの背腹部の向きが左右いずれの方向に向けられていても、上記左右一対の挟圧ローラ２、３により全て同一方向に向けた状態となるように処理することができる。
【００３５】
なお、補助ガイドローラ14に代えて、導出通路1Bの入り口側に挟圧ローラ２、３間を通過するサンマＦの上記背部f2の上向きに傾斜した一側面を押圧する押圧ガイド板によって強制的に押し倒してよい。この押圧板はサンマＦの背部f2を押圧する下面の高さが下流側に向かうに従って徐々に低くなるように形成され、その下面でサンマＦを押し倒すように形成されている。
【００３６】
このような補助ガイドローラ14や押圧ガイド板を使用すると、挟圧ローラ２、３間を通過したサンマＦを短い距離内でその背部f2を一定方向に向けた状態で横臥させることができ、別に搬送力を必要とすることなく導出通路1Bから直接、頭部処理用のコンベア16に供給することができるが、補助ガイドローラ14や押圧ガイド板は使用しなくても、回転ブラシ11の回転力によってサンマＦを勢いよく挟圧ローラ２、３間に送り込むと共に通過させて導出通路1B上を下流側に滑動させる間に横臥状態に倒すことができる。なお、本発明の魚体の背腹方向揃え装置は、サンマＦに限らず、背部f2が幅広くて腹部f1が幅狭い魚体であれば、その背腹方向を全て一定方向に向けることができる。
【符号の説明】
【００３７】
１  搬送通路
２、３  挟圧ローラ
2b  外向き傾斜周面
3b  内向き傾斜周面
６、７  アーム
10  引張りスプリング
11  回転ブラシ
14  補助ガイドローラ
Ｆ  サンマ
【図１】
2010200653.tif 000003
【図２】
2010200653.tif 000004
【図３】
2010200653.tif 000005
【図４】
2010200653.tif 000006
【図５】
2010200653.tif 000007
【図６】
2010200653.tif 000008
【図７】
2010200653.tif 000009
【図８】
2010200653.tif 000010